(57)【要約】【課題】被フルイ物から必要な粒径のものを効率よく分離できるようにした回転フルイ装置を提供する。【解決手段】本発明は、傾斜回転できる網目ドラム３内に投入した被フルイ物Ａを、前記網目ドラム３の内側から網目４にこすり付ける接触子６を設けたことを特徴とし、網目５に被フルイ物Ａをこすり付けてその通過を促がせるように構成した。また、請求項２に記載の発明は、前記接触子６が、網目ドラム３の底域寄りに縦通し、ドラムと逆方向に回転する駆動軸に前記ドラムの底域に接して屈曲し、その屈曲状態を底域から脱するまで継続することを特徴とし、ドラム３の底域を流下する被フルイ物Ａを網目５に繰り返しこすり付けるとともに、こすり付け時間が長くとれるように構成した。【選択図】図１
2017064616.tif 000002
【特許請求の範囲】
【請求項１】
傾斜回転できる網目ドラム内の高い位置から投入した被フルイ物を、低い位置へ導く間に内側から網目にこすり付ける接触子を設けたことを特徴とする回転フルイ装置。
【請求項２】
前記接触子が、網目ドラムの底寄りに縦通し、ドラムと逆方向に回転する駆動軸に、ドラムの底域に接して屈曲し、その屈曲状態を底域から脱するまで継続することを特徴とする請求項１に記載の回転フルイ装置。
【発明の詳細な説明】
【技術分野】
【０００１】
本発明は、破砕又は粉砕した細粒物を一定の粒度以下のものを効率よく分離できるようにした回転フルイ装置に関するものである。
【０００２】
従来、回転フルイ装置として、特開平６−３２２７５７号公報がある。これは粒径の異なる固体を相互分離するためのもので、周面に多数の径の異なる小孔を有する筒体を、径が大きい筒体を外に、径の小さい筒体を内に重ね、径方向に隙間を介して配置している。そして、筒体は、小孔の径が小さいものほど大きく、小孔の径が大きいものほど小さく設定する。これにより被フルイ物中、粒径の大きいものと小さいものとが分離できるようになっている。
【特許文献１】特開平６−３２２７５７号公報
【発明の開示】
【発明が解決しようとする課題】
【０００３】
しかしながら、上記装置は、被フルイ物中の粒度の大きいものと小さいものとを分類するには有用であるが、小さい粒子の被フルイ物は、筒体（網目）を単に回転させているだけでは網目を通すのに大いに時間が掛かることになっていた。
【０００４】
本発明は、上記の点に鑑み、その目的とするところは、被フルイ物から必要な粒径のものを効率よく（時間がかかることなく）分離できるようにした回転フルイ装置を提供することにある。
【課題を解決するための手段】
【０００５】
上記目的を達成するため、本発明は、傾斜回転できる網目ドラム内の高い位置から投入した被フルイ物を、低い位置へ導く間に内側から網目にこすり付ける接触子を設けたことを特徴とし、ドラム内を流下する被フルイ物を接触子により網目にこすり付けて分離できるように構成した。
【０００６】
また、請求項２に記載の発明は、前記接触子が、網目ドラムの底寄りに縦通され、ドラムと逆方向に回転する駆動軸に屈伸可能に列設され、前記ドラムの底域に接して屈曲し、その屈曲状態を底域から脱するまで継続することを特徴とし、ドラムの底を流下する被フルイ物を網目に繰り返しこすり付けるとともに、こすり付け時間を長くとれるように構成した。
【発明の効果】
【０００７】
本発明によれば、傾斜回転できる網目ドラム内の高い位置から投入し、低い位置へ導く間に接触子により被フルイ物を網目にこすり付けるから、網目がいかに細かいものでも被フルイ物中の細かい物を確実に通過（分離）させることができるという優れた効果を奏するものである。
【０００８】
また、請求項２に記載の発明によれば、網目ドラム内の底寄りを縦通し、ドラムとは逆方向に回転する駆動軸に接触子を屈伸可能に列設しているので、被フルイ物は網目に繰り返しこすり付けられ、分離速度を早めるばかりでなく、網目へのこすり付け時間が長くとれ、分離性をより向上させることができる。しかも、被フルイ物中に石コロやガラス片や金属片のような網目より硬く大きなものが混ざっていても接触子を有効に逃がして噛むことがないなど各種の優れた効果を奏するものである。
【発明を実施するための最良の形態】
【０００９】
次に、本発明の実施態様を添付図面に基づいて説明する。図１は本願装置の略示的斜視図、図２は網目ドラムと接触子との関係を示す側面図、図３は被フルイ物を網目にこすり付ける接触子の構成を示す斜視図、図４は接触子がドラムの底域で屈曲している状態を示す斜視図である。
【００１０】
本願装置１は、図１の如く、モーターＭ１により矢印Ｙ方向に駆動される回転軸２に支持されて傾斜回転している網目ドラム３と、該網目ドラム３内の高い位置から被フルイ物Ａを投入するホッパー４と、該ホッパー４から投入された被フルイ物Ａを網目ドラム３の底域３′にある網目５に強くこすり付ける接触子６とを備えている。前記網目ドラム３の傾斜角度αは、前記ホッパー４から投入された被フルイ物Ａが接触子６により網目５にこすり付けながらゆっくり流下できる角度（例えば、１０°〜１５°）に設定されている。
【００１１】
前記被フルイ物Ａは、例えば、ゴルフ場内の庭園、公園や個人庭園その他の樹木などの手入れにより排出された枝葉や刈り取られた芝草などを破砕機又は粉砕機（図示せず）により砕かれた細粒物などをいう。この被フルイ物Ａは網目ドラム３の細かい網目５を通るような一定の粒度以下のものに分離されて「肥料」として再利用される。勿論、細かい網目を通らずに残ったものは再度破砕機又は粉砕機に掛け、網目ドラム３の細かい網目５により振るわれ、最終的には総てのものが「肥料」として利用されることが良い。
【００１２】
前記接触子６は、網目ドラム３の底域３′寄りを縦通し、モーターＭ２により矢印Ｙ′方向（逆方向）に駆動され、軸受部材７、７′にて支えられている駆動軸８に屈伸可能に列設されている。前記接触子６は、具体的には、図２の如く、駆動軸８に対して回転方向には固定された軸体９の鍔体１０から１８０°方向に延出されているアーム１１、１１及びアーム１１′、１１′の各先端間に、回動可能に軸支された軸棒１２にコ字状に結合されている。
【００１３】
前記接触子６がコ字状に結合された軸棒１２には、図の如く、コイルバネ１３が巻設されている。該コイルバネ１３の一端１３ａは軸棒１２に固着され、他端１３ｂは片方のアーム１１及び１１′に設けた溝に引っ掛けるように固着されている。従って、前記接触子６は、コイルバネ１３の作動で平時には、前記アーム１１、１１及びアーム１１′、１１′を延長する方向に伸長状態を保っている。
【００１４】
前記駆動軸８に固定された前記接触子６の軌跡Ｋは、図３の如く、前記網目ドラム３の底域３′に小さい円弧で重なっている。従って、前記網目ドラム３の底域３′を通る接触子６は、図中、破線で示すようにコイルバネ１３に抗して後方に向け屈曲するようになっている。そして、接触子６が、前記網目ドラム３の底域３′を脱するとコイルバネ１３の作用で元に戻る（アームを延長する）ようになっている。
【００１５】
換言すれば、前記接触子６は、網目ドラム３の底域３′に至ると、図４の如く、回転方向後方に向け屈曲する。この屈曲状態は底域３′の通過中は継続して維持され、被フルイ物Ａを網目５にこすり付けている。つまり、こすり付け時間を長くとって分離性をより向上させ得るようになる。そして、当該接触子６が底域３′を通過して網目５から離反するとコイルバネ１３の作用で元に戻るようになっている。
【００１６】
前記接触子６を軸支したアーム１１、１１及びアーム１１′、１１′の向きは、図２の如く、隣接同士で９０°位相させている。つまり、隣接する一のアームが水平になっている隣のアームは垂直になっている。従って、その先端に屈伸可能に設けられた接触子６は、網目ドラム３の高い位置から低い位置へ流下する被フルイ物Ａを網目５にタイミング早くこすり付けることができるようになっている。
【００１７】
前記コイルバネ１３は、接触子６が網目ドラム３の底域３′に接したときの捩れに対する復元力を得るために設けたもので、この機能はゴム管でも有している。すなわち、ゴム管はその両端を逆方向に捻ったときに元に戻ろうとする働きをするから、コイルバネと同じ復帰力を働かせることができる。
【００１８】
前記アーム１１、１１及びアーム１１′、１１′の先端に、コイルバネ１３により屈伸可能に支持された接触士６は、被フルイ物Ａ中に石コロやガラス片や金属片のような網目より大きく硬いものが混ざっているときには逃がすように作動するし、逆に、被フルイ物Ａ中に網目より大きく柔らかいものが混ざっているときにはこれを砕くように働くこともある。
【００１９】
前記網目ドラム３の高い位置から投入され低い位置へと導かれる間に、被フルイ物Ａから網目５を通過した細粒物Ｂは、傾斜樋１４で受け止め、その傾斜に沿って自然に、或いは振動付与機（図示せず）により集積ケース１５に集めることができるなっている。
【００２０】
また、網目ドラム３の高い位置から投入された被フルイ物Ａのうち、網目５を通過しなかった径大物（石コロやガラス片や金属片も含む）Ｃは、網目ドラム３の低い位置から傾斜樋１６の傾斜に沿って集積ケース１７に集められるようになっている。
【００２１】
次に、本願装置１の作動について説明する。まず、モーターＭ１により傾斜回転できる網目ドラム３の高所からホッパー４を通して被フルイ物Ａを投入する。該被フルイ物Ａはドラム３内の底域３′寄りに縦通し、モーターＭ２によりドラム３とは逆方向に回転している駆動軸８に配置された接触子６により網目５にこすり付けられてドラム３の傾斜に沿って下降する。
【００２２】
前記被フルイ物Ａが接触子６により網目５に内側からこすり付けられることにより、網目５を通過した細粒物Ｂは、傾斜樋１４の傾斜に沿って集積ケース１５に集められ、網目５を通過しなかった径大物Ｃは網目ドラム３の低い位置から傾斜樋１６を伝って集積ケース１７に集められる。
【００２３】
前記集積ケース１５に集められた細粒物Ｂは、「肥料」として再利用されるし、前記集積ケース１７に集められた径大物Ｃ中から石コロやガラス片や金属片を取り除き（傾斜樋１４の途中に重さによる分離装置を設けても良い）、残ったものは、再び、破砕機又は粉砕機を経て傾斜回転できる網目ドラム３の高所からホッパー４を通して投入することとなる。
【産業上の利用可能性】
【００２４】
本願装置は、破砕又は粉砕した細粒物のうち一定の粒度以下のものを効率よく網目を通すようにした回転フルイ装置であり、あらゆる分野において応用されるもので、産業上の利用可能性は極めて高いものである。
【図面の簡単な説明】
【００２５】
【図１】本願装置の略示的斜視図である。
【図２】網目ドラムと接触子との関係を示す側面図である。
【図３】被フルイ物を網目にこすり付ける接触子の構成を示す斜視図である。
【図４】接触子がドラムの底域で屈曲している状態を示す斜視図である。
【符号の説明】
【００２６】
１  本願装置
２  回転軸
３  網目ドラム
４  ホッパー
５  網目
６  接触子
８  駆動軸
９  軸部
１０  両端鍔部
１１、１１′  アーム
１２  軸棒
１３  コイルバネ
１４  傾斜樋
１５  集積ケース
１６  傾斜樋
１７  集積ケース
Ｍ１  モーター
Ｍ２  モーター
Ａ  被フルイ物
Ｂ  細粒物
Ｃ  径大物
α  傾斜角度
【図１】
2017064616.tif 000003
【図２】
2017064616.tif 000004
【図３】
2017064616.tif 000005
【図４】
2017064616.tif 000006